(57)【要約】【課題】化粧パネルを固定するための部品点数を少なく、且つ、化粧パネルの脱着の容易な遊技機を提供する。【解決手段】枠体６内部に蛍光灯６５を設ける。蛍光灯６５の前方に化粧パネル板６１を配置する。枠板６３は化粧パネル板６１をその前面側から支持する。扉体３には、化粧パネル板６１をその後面側から支持する支持手段が備えられる。枠体６は、枠体６と前記支持手段との間に化粧パネル板６１を挟みこむように支持した状態で枠体６に取り外し自在に取り付けられている。【選択図】      図４
2004147878.tif 000002
【特許請求の範囲】
【請求項１】
筐体と、
前記筐体内部に設けられた光源と、
前記光源前方に配置された化粧パネル板と、
前記化粧パネル板をその前面側から支持するための枠体と、を備える遊技機であって、
前記筐体には、前記化粧パネル板をその後面側から支持する支持手段が備えられ、
前記枠体は、該枠体と前記支持手段との間に前記化粧パネル板を挟みこむように支持した状態で前記筐体に取り外し自在に取り付けられていることを特徴とする遊技機。
【請求項２】
前記支持手段は、前記化粧パネル板の周縁部のみと接触した状態で前記化粧パネル板を支持することを特徴とする請求項１記載の遊技機。
【請求項３】
前記枠体には、前記化粧パネル板の底面に対向する位置に当該化粧パネル板の脱落を防止するためのパネル落下防止手段を備えることを特徴とする請求項１又は２記載の遊技機。
【発明の詳細な説明】
【０００１】
【発明の属する技術分野】
本発明は遊技機に関する。
【０００２】
【従来の技術】
カジノや、ゲームセンターに設置されているスロットマシン、ビデオ遊技機などの遊技機には、どのような遊技機であるかを遠くからでも一目で識別できるような装飾がなされているのが一般的である。しかし、筐体そのものに装飾を施してしまうと、その筐体には汎用性がなくなってしまい、再利用ができなくなる、製造コストが上昇する、などといった問題が生じる。従って、このような場合には、半透明状の化粧パネル板を筐体に嵌め込み、後背部から電飾で照らすことによって該パネルに描かれたデザインを目立たせる、といった方法による装飾がなされた遊技機が多い。
【０００３】
具体的には、遊技機には、遊技者の操作する操作部及び遊技内容を表示する表示部が、遊技者の目線に比較的近い位置に設けられており、その上部及び／又は下部に上述した如き化粧パネル板が組み込まれているのである。
【０００４】
従来、このような化粧パネル板は、当該化粧パネルの周囲を覆う枠に予め固定された上で、当該枠が遊技機に取り付けられていた（例えば、特許文献１参照）。そして遊技機に当該枠を取り付ける方法としては、当該枠の各辺を遊技機に嵌め込むもの、当該枠が扉状に遊技機に設けられているもの、などがある。
【０００５】
【特許文献１】
特開２００１−６３１号公報
【０００６】
【発明が解決しようとする課題】
しかしながら、化粧パネル板はその装飾目的のために後背部から光源で照らすことが多く、その部分にはパネルの強度を上がるための骨材等は使用されておらず、従って、比較的破損のしやすい部分である。そのため、破損が生じた場合には、当該化粧パネル板のみを交換する必要が生じるのである。
【０００７】
また、上述した如く、このような遊技機は筐体をそのまま再利用することがよく行われているが、内蔵されるゲームの種類が異なれば、当該化粧パネル板を交換する必要が生じるのである。
【０００８】
にもかかわらず、上述の如き化粧パネル板を枠に対して予め固定しておくためには、当該化粧パネル板が当該枠と接触する周縁部において、ビス止め等をする必要がある。
【０００９】
そのために、当該化粧パネル板の取り外し時、及び取り付け時においては、非常に手間のかかるものであり、また、取り付けのために必要な部品の点数も多いものであった。そして、当該部品にかかるコストや作業における人件費などが嵩んでしまっていた。
【００１０】
本発明は、以上のような問題点に鑑みてなされたものであり、化粧パネルを固定するための部品点数を少なく、且つ、化粧パネルの脱着の容易な遊技機を提供することを目的とする。
【００１１】
【課題を解決するための手段】
本発明は、化粧パネル板を予め枠に固定する必要なしに、筐体に対して固定することが可能である遊技機を提供する。
【００１２】
より具体的には、本発明は、以下のようなものを提供する。
【００１３】
（１）  筐体と、前記筐体内部に設けられた光源と、前記光源前方に配置された化粧パネル板と、前記化粧パネル板をその前面側から支持するための枠体と、を備える遊技機であって、前記筐体には、前記化粧パネル板をその後面側から支持する支持手段が備えられ、前記枠体は、該枠体と前記支持手段との間に前記化粧パネル板を挟みこむように支持した状態で前記筐体に取り外し自在に取り付けられていることを特徴とする遊技機。
【００１４】
上述した（１）の発明によれば、化粧パネル板を備える遊技機において、「前記筐体には、前記化粧パネル板をその後面側から支持する支持手段が備えられ、前記枠体は、該枠体と前記支持手段との間に前記化粧パネル板を挟みこむように支持した状態で前記筐体に取り外し自在に取り付けられている」ように構成することにより、化粧パネル板を当該枠体に固定するための部品が不要となるので、コスト及び手間の低減を図ることが可能となる。また、該化粧パネル板の交換を極めて容易に行うことが可能となる。
【００１５】
従来の遊技機における化粧パネル板は、予め当該化粧パネル板を固定するための枠体に、ビスなどを用いて固定し、その上で当該枠体を筐体に固定することで、当該筐体に装着されていた。しかし、このような構成であっては、当該化粧パネル板と当該枠体とを固定するための部品点数が多く、更には、化粧パネル板を交換する必要が生じた際には、その取り外し、及び取り付けが非常に面倒なものであった。
【００１６】
そこで本発明のように、化粧パネル板を予め枠体に固定することなく、当該枠体を筐体に固定する際に化粧パネル板を挟み込むことで当該化粧パネル板が固定されるように構成することにより、当該化粧パネル板を当該枠体に固定するための部品が不要となり、当該化粧パネル板の交換を極めて容易に行うことが可能となるのである。
【００１７】
（２）  前記支持手段は、前記化粧パネル板の周縁部のみと接触した状態で前記化粧パネル板を支持することを特徴とする（１）記載の遊技機。
【００１８】
上述した（２）の発明によれば、（１）の遊技機において「前記支持手段は、前記化粧パネル板の周縁部のみと接触した状態で前記化粧パネル板を支持する」ように構成することにより、当該化粧パネル板の後方からの支持がその周縁部のみで行うことが可能となるので、光源からの照射が妨げられることがなく、化粧パネル板の機能を充分に発揮することが可能となる。
【００１９】
（１）における遊技機は、従来の遊技機と異なり、化粧パネル板が予め枠体に固定されておらず、当該枠体と筐体とで挟み込むことにより当該化粧パネル板を固定するものである。しかし、筐体側に設けられた支持手段が、当該化粧パネル板の中央部付近で支持するのであれば、光源が当該化粧パネル板を照射する妨げとなってしまう。
【００２０】
そこで、本発明のように筐体に設けられた支持手段がパネル周縁部のみと接触するように構成することで、従来の遊技機における化粧パネル板を枠体に固定するための支持部材が予め筐体に固定されているかの如き構造となるので、光源から化粧パネル板への照射の妨げを防ぐことが可能となるのである。
【００２１】
（３）  前記枠体には、前記化粧パネル板の底面に対向する位置に当該化粧パネル板の脱落を防止するためのパネル落下防止手段を備えることを特徴とする（１）又は（２）記載の遊技機。
【００２２】
上述した（３）の発明によれば、（１）又は（２）の遊技機において「前記枠体には、前記化粧パネル板の底面に対向する位置に当該化粧パネル板の脱落を防止するためのパネル落下防止手段を備える」ように構成することにより、当該枠体が当該筐体に対して固定されていない場合であっても、当該化粧パネル板が落下することなく当該枠体によって支持されるので、落下等による破損の心配を回避することが可能となる。
【００２３】
化粧パネル板を枠体と筐体とで挟み込むことで固定するように構成した場合には、当該枠体が当該筐体に固定されていない時点においては、当該化粧パネル板は何ら固定された状態でない。そのため、何らかの措置を講じておかなければ当該化粧パネルは床に落下して破損してしまう可能性がある。
【００２４】
そこで、本発明のように当該枠体に落下防止手段を備えることにより、当該枠体が当該筐体に対して固定されていない場合であっても、当該化粧パネル板が落下することなく当該枠体によって支持されるので、落下等による破損の心配を回避することが可能となるのである。そして、化粧パネル板や光源の交換などのために当該枠体を開閉する場合の作業を安全に行うこと可能となるのである。
【００２５】
また、上述の発明は、以下に示す遊技機を提供するものでもある。
【００２６】
前記枠体には、前記化粧パネル板をその底面より挿入することが可能な挿入部が開放されていることを特徴とする（３）記載の遊技機。
【００２７】
上述した発明によれば、（３）の遊技機において「前記枠体には、前記化粧パネル板をその底面より挿入することが可能な挿入部が開放されている」ように構成することにより、当該枠体に化粧パネル板を固定するものでないが、当該挿入部から当該化粧パネル板を挿入することで、当該枠体と落下防止手段との間に予め設けられた空間に当該化粧パネル板を収めることが可能となるので、化粧パネル板の取り扱いが容易になるのである。
【００２８】
尚、上述の発明においては、化粧パネルは枠体の上面部から挿入するように構成されているが、挿入位置は側面部に設けられているように構成しても良い。
【００２９】
【発明の実施の形態】
以下に、本発明の実施の形態について図面に基づいて説明する。尚、本実施の形態は、本発明をスロットマシンに適用して説明するが、本発明はこれに限らず、ビデオ遊技機、メダル遊技機、カード遊技機等、各種の遊技機に採用することができる。
【００３０】
次に、スロットマシンの構成を説明する。
【００３１】
図１はスロットマシン１の正面図である。スロットマシン１は、キャビネット２の開口部に扉体３が開閉自在に設けられている。また、キャビネット２の上部にトップフレーム４が取り付けられている。トップフレーム４の正面には化粧パネル板４１が施されている。
【００３２】
遊技情報を表示する表示装置２１はキャビネット２内に設置される。表示装置２１の表示を視認可能とするために、扉体３の上部には窓が形成され、表示装置２１の表示を視認可能とするため、あるいは表示装置２１を保護するための透明板が前記窓に取り付けられている。そして、前記窓の両翼には、遊技状態に応じて発生される効果音あるいは効果音楽を聴覚容易とするための透過孔が形成されている。
【００３３】
扉体３の正面中央部には突出する形で操作部５が配置されている。操作部５の右側の傾斜面には、各種操作ボタンが配列されると共にコインを投入するコイン投入口５１が備えられている。操作部５の右側には、キャビネット２内に収納される紙幣識別機（ビルバリデータ）に紙幣を案内するための紙幣案内部５２が備えられている。
【００３４】
操作部５の下部には、扉体３と開閉自在に連結する枠体６が設けられている。枠体６には化粧パネル板６１が内包されている。化粧パネル板６１には、当該遊技機の機種などを表す装飾が施されている。なお、表示装置２１の画面上部に存在するトップフレーム４の化粧パネル板４１にも前記装飾が視認容易に施されている。
【００３５】
枠体６の下部であって、扉体３の底部にはコインを収容するコイン受け皿３０が形成されている。
【００３６】
図２は枠体６を開いた状態図であり、枠体６を背後から観ている状態図である。枠体６の右側面には、支軸６４が配置され、枠体６は扉体３と回転結合する。枠体６の背面には、その背面を概ね覆う形でカバー６２が取り付けられている。
【００３７】
後述する扉体３内の折曲端３Ａが進入可能になるようカバー６２の上端は設定されている。同様に、カバー６２の下部は後述する扉体３内の折曲端３Ａが進入可能にカバー６２の下端は間隙が設けられている。また、チェーン６Ｂの一端はカバー６２に結合され、他端は扉体３に結合される。チェーン６Ｂは枠体６が扉体３から所定角度以上開くのを防止するためのものである。
【００３８】
図３は、枠体６を開いた状態図である。扉体３と枠体６をそれぞれ背後から観ている状態図である。図３に示されるように、扉体３内には対向する形で一対の折曲端３Ａが形成され、折曲端３Ａには、例えば、スポンジ等の押圧体３１が貼り付けられている。また、枠体６を閉じると、枠体６の上面は操作部５の底面と近接した状態となる。
【００３９】
図４は枠体６の斜視分解組立図である。化粧パネル板６１は矩形に形成され、光透過性をもつガラスあるいは合成樹脂材で組成されている。
【００４０】
枠板６３は、概ねコの字状に形成され、軽量金属材あるいは硬質軽量合成樹脂材で一体成型されている。枠板６３の両翼間の空間に化粧パネル板６１が収容される。化粧パネル板６１が枠板６３に収容されたときに、化粧パネル板６１の装飾が視認可能となるように、枠板６３の正面部は窓６３１が開口している。また、枠板６３には、化粧パネル板６１の落下を阻止するための縁６３２が底部に延出している。
【００４１】
枠板６３の左翼には、シリンダ錠６Ａを枠板６３に固定するためのプレート６Ａ１が設けられる。シリンダ錠６Ａの回転軸終端には、枠体６を扉体３にロックするための止係片６Ａ２が結合している。枠板６３の右翼には、貫通穴６３３が形成される。貫通穴６３３に支軸６４が挿入され、枠板６３は扉体３と回転結合する。
【００４２】
カバー６２は枠板６３に固定される。カバー６２の内壁には、一対のソケット６５Ａが取り付けられ、前記ソケット６５Ｂに蛍光灯６５が装着される。カバー６２を枠板６３に取り付けた状態では、カバー６２の内面と枠板６３の背壁間は化粧パネル板６１の板厚分が僅かに入る間隙が設けられる。
【００４３】
次に、作用について説明する。
【００４４】
図４で説明されたように、枠板６３には、化粧パネル板６１の落下を阻止するための縁６３２が底部に延出している。また、カバー６２を枠板６３に取り付けた状態では、カバー６２の内面と枠板６３の背壁間は化粧パネル板６１の板厚分が僅かに入る間隙が設けられる。また、枠体６を閉じた状態では、操作部５の底面が化粧パネル板６１の飛び出しを封鎖する。以上の構成により、化粧パネル板６１が枠体６に収容される状態が生成される。
【００４５】
しかしながら、これだけでは、振動などによる化粧パネル板６１の傾倒による落下などの不安定状態が懸念される。この実施形態では、枠体６を扉体３に施錠状態にすると、扉体３の折曲端３Ａに貼り付けられた一対の押圧体３１が、化粧パネル板６１の上下の周縁部を押圧する。そして、押圧体３１を介在させて、扉体３の折曲端３Ａと枠板６３が化粧パネル板６１を挟みこむようにして支持する。このようして、化粧パネル板６１の安定状態が作られる。なお、扉体３の折曲端３Ａと、押圧体３１は支持手段を構成している。
【００４６】
一方、枠体６を開いた状態（解錠状態）では、化粧パネル板６１は解放状態となり、化粧パネル板６１は上から抜き取り容易となる。なお、図４においては、枠板６３の上方から化粧パネル板６１を挿抜可能としたが、枠板６３の側面を開口し、側方から化粧パネル板６１を挿抜可能としてもよい。
【００４７】
また、前述のように、枠体６を扉体３に施錠状態にすると、扉体３の折曲端３Ａに貼り付けられた押圧体３１が、化粧パネル板６１の底面近傍における周縁部を押圧する。すなわち、「前記支持手段は、前記化粧パネル板の周縁部のみと接触した状態で前記化粧パネル板を支持する」ように構成することにより、化粧パネル板６１の後方からの支持がその周縁部のみで行うことが可能となるので、蛍光灯６５からの光照射が妨げられることがなく、化粧パネル板としての機能を充分に発揮することが可能となる。なお、光照射手段は蛍光灯に限定されない。化粧パネル板を内部から照らし出す光照射手段であればよい。
【００４８】
更に、化粧パネル板６１を枠板６３から取り外した状態では、枠板６３の窓６３１が大きく開口しているので、蛍光灯６５の交換が容易となる。
【００４９】
また、図４の構成によれば、カバー６２はアルミニウムなど銀色材で組成されているので、蛍光灯６５の後方散乱光を化粧パネル板６１側に反射させるので、カバー６２の反射がない場合と比べて、化粧パネル板６１をより明るくさせる作用がある。
【００５０】
更に、トップフレーム４の化粧パネル板４１も内部の光源で明るく照らしだされ、表示装置２１の発光画面と共に発光画面の上下に配置された化粧パネル板４１・６１の効果でスロットマシン１の存在を際立たせている。
【００５１】
【発明の効果】
本発明によれば、化粧パネル板を備える遊技機において「前記筐体には、前記化粧パネル板をその後面側から支持する支持手段が備えられ、前記枠体は、該枠体と前記支持手段との間に前記化粧パネル板を挟みこむように支持した状態で前記筐体に取り外し自在に取り付けられている」ように構成することにより、化粧パネル板を当該枠体に固定するための部品が不要となるので、コスト及び手間の低減を図ることが可能となる。また、該化粧パネル板の交換を極めて容易に行うことが可能となる。
【００５２】
また、本発明によれば、「前記支持手段は、前記化粧パネル板の周縁部のみと接触した状態で前記化粧パネル板を支持する」ように構成することにより、当該化粧パネル板の後方からの支持がその周縁部のみで行うことが可能となるので、光源からの照射が妨げられることがなく、化粧パネル板の機能を充分に発揮することが可能となる。
【００５３】
さらに、「前記枠体には、前記化粧パネル板の底面に対向する位置に当該化粧パネル板の脱落を防止するためのパネル落下防止手段を備える」ように構成することにより、当該枠体が当該筐体に対して固定されていない場合であっても、当該化粧パネル板が落下することなく当該枠体によって支持されるので、落下等による破損の心配を回避することが可能となる。
【図面の簡単な説明】
【図１】本発明におけるスロットマシン１の正面図である。
【図２】本発明における扉体を開いた状態図である。
【図３】本発明における扉体を開いた状態図である。
【図４】本発明における枠体の斜視分解組立図である。
【符号の説明】
１  スロットマシン
２  キャビネット２
３  扉体
３Ａ  折曲端
３１  押圧体
４  トップフレーム
５  操作部
６  枠体
６Ａ  シリンダ錠
６Ｂ  チェーン
７  タンク
４１  化粧パネル板
６１  化粧パネル板
６２  カバー
６３  枠板
６４  支軸
６５  蛍光灯
【図１】
2004147878.tif 000003
【図２】
2004147878.tif 000004
【図３】
2004147878.tif 000005
【図４】
2004147878.tif 000006